(57)【特許請求の範囲】
【請求項１】
収容空間内に被収容物が収容されるケースであって、
前記収容空間となる領域から延びる流路が形成された第一ケース体を備え、
前記流路は、
一方端側が第一出口に繋がり、他方端側が第二出口に繋がる第一流路部と、
前記第一流路部と前記収容空間とを繋ぐ第二流路部と、
を含み、
前記第一流路部に臨む前記第二流路部の開口縁は、前記第一流路部の前記第一出口側の縁である一方側開口縁よりも、前記第一流路部の前記第二出口側の縁である他方側開口縁の方が前記収容空間側に位置していることを特徴とするケース。
【請求項２】
前記第一ケース体と一体化され、前記第二出口となる部分が形成された第二ケース体を備え、
前記第一ケース体の外壁面と前記第二ケース体の外壁面の境界は、前記第二出口よりも低い位置に位置することを特徴とする請求項１に記載のケース。
【請求項３】
前記第一流路部は、前記第二流路部が繋がる部分と前記第一出口との間に、前記第二流路部側に屈曲した部分を含むことを特徴とする請求項１または請求項２に記載のケース。
【請求項４】
前記第二流路部は、前記第一流路部に臨む開口の大きさが、前記収容空間に臨む開口の大きさよりも小さいことを特徴とする請求項１から請求項３のいずれか一項に記載のケース。
【請求項５】
前記第二流路部は、屈曲していることを特徴とする請求項４に記載のケース。
【発明の詳細な説明】
【技術分野】
【０００１】
本発明は、排水用の流路が設けられたケースに関する。
【背景技術】
【０００２】
下記特許文献１等に記載されるように、電気機器を収容する車載用のケース等、温度変化が大きい環境下に設置されるケースには、水蒸気の凝結によって発生する水を排水するための流路が設けられることがある。
【先行技術文献】
【特許文献】
【０００３】
【特許文献１】特開２００２−１３４９３９号公報
【発明の概要】
【発明が解決しようとする課題】
【０００４】
このようなケースでは、流路を通じた排水がスムーズになされるという機能を確保しつつも、被収容物が収容される収容空間内に外部からの水が浸入しにくい構造とする必要がある。
【０００５】
本発明が解決しようとする課題は、排水がスムーズになされ、収容空間内への水の浸入を抑制することができる排水用の流路が設けられたケースを提供することである。
【課題を解決するための手段】
【０００６】
上記課題を解決するために本発明にかかるケースは、収容空間内に被収容物が収容されるケースであって、前記収容空間となる領域から延びる流路が形成された第一ケース体を備え、前記流路は、一方端側が第一出口に繋がり、他方端側が第二出口に繋がる第一流路部と、前記第一流路部と前記収容空間とを繋ぐ第二流路部と、を含み、前記第一流路部に臨む前記第二流路部の開口縁は、前記第一流路部の前記第一出口側の縁である一方側開口縁よりも、前記第一流路部の前記第二出口側の縁である他方側開口縁の方が前記収容空間側に位置していることを特徴とする。
【０００７】
前記第一ケース体と一体化され、前記第二出口となる部分が形成された第二ケース体を備え、前記第一ケース体の外壁面と前記第二ケース体の外壁面の境界は、前記第二出口よりも低い位置に位置するとよい。
【０００８】
前記第一流路部は、前記第二流路部が繋がる部分と前記第一出口との間に、前記第二流路部側に屈曲した部分を含む。
【０００９】
前記第二流路部は、前記第一流路部に臨む開口の大きさが、前記収容空間に臨む開口の大きさよりも小さいとよい。
【００１０】
前記第二流路部は、屈曲しているとよい。
【発明の効果】
【００１１】
本発明にかかるケースは、第一流路部に臨む第二流路部の開口縁は、第一流路部の第一出口側の縁である一方側開口縁よりも、第一流路部の第二出口側の縁である他方側開口縁の方が収容空間側に位置しているため、第一出口から浸入した水が第二流路部に浸入しにくい。つまり、第一出口から進入した水は、そのまま第二出口から排出されやすい。したがって、排水がスムーズになされ、収容空間内への水の浸入が抑制される。
【００１２】
第一ケース体の外壁面と第二出口となる部分が形成される第二ケース体の外壁面の境界が、第二出口よりも低い位置に位置するようにすれば、第二出口からの水の浸入が抑制される。つまり、第一出口から第一流路部内に浸入した水は第二出口から排出されやすく、第二出口からは第一流路部内に水が浸入しにくくなるため、収容空間内に浸入する水の浸入が抑制される。
【００１３】
第一流路部を、第二流路部が繋がる部分と第一出口との間に、第二流路部側に屈曲した部分を含む構成とすれば、第一出口から浸入した水の流れは当該屈曲した部分によって第二流路部（第一流路部と第二流路部の境界）から遠ざかる。つまり、第一出口から第一流路部に浸入した水が第二流路部により浸入しにくくなる。
【００１４】
第一流路部に臨む開口の大きさが、収容空間に臨む開口の大きさよりも小さい第二流路部とすれば、収容空間内の水が第二流路部に浸入しやすく、第一流路部の水が第二流路部に浸入しにくくなる。
【００１５】
第二流路部が屈曲していれば、第一流路部から第二流路部に水が浸入したとしても、当該水が収容空間に到達しにくい。
【図面の簡単な説明】
【００１６】
【図１】本発明の一実施形態にかかるケースの外観を模式的に示した図である。
【図２】第二ケース体を取り外した状態にある本発明の一実施形態にかかるケースの外観を模式的に示した図である。
【図３】図１のＡ−Ａ線断面図である（接続部材は図示せず）。
【図４】図１のＢ−Ｂ線断面図である（接続部材は図示せず）。
【図５】図１のＣ−Ｃ線断面を模式的に示した図である。
【図６】本発明の一実施形態にかかるケース体を、スリットが形成された側から見た側面図である。
【図７】第一ケース体に形成された流路を説明するための図（第一ケース体を平面方向に沿う面で切断した断面の模式図）である。
【図８】第一流路部と第二流路部が繋がる部分を拡大して示した図である。
【図９】本発明の一実施形態にかかるケース体の収容物の一例である基板ユニットの外観図である。
【図１０】基板ユニットにおける電子部品（一部の端子が導電部材に電気的に接続されるもの）が実装された部分（基板およびそれに固定された導電部材）を拡大して示した図である。
【図１１】基板ユニットにおける電子部品（一部の端子が導電部材に電気的に接続されるもの）が実装された部分（基板およびそれに固定された導電部材）の断面図であって、ドレイン端子およびソース端子を通過する平面で切断した断面図である。
【発明を実施するための形態】
【００１７】
以下、本発明の実施形態について図面を参照しつつ詳細に説明する。なお、特に明示した場合を除き、以下の説明における高さ方向（上下方向）とは、図１等に示すＺ軸に沿う方向（矢印の向く方向側を上とする）をいい、幅方向とはＸ軸に沿う方向をいい、前後方向とはＹ軸に沿う方向（矢印の向く方向側を後とする）をいい、平面方向とはＸＹ平面に沿う方向をいうものとする。なお、これらの方向はケース１の設置方向を限定するものではないが、本実施形態にかかるケース１は、基本的には第一ケース体１０が下側に、第二ケース体２０が上側に位置するように配置されるものである。
【００１８】
図１および図２に示すように、本発明の一実施形態にかかるケース１は、車載用の電気機器が収容されるケースであって、第一ケース体１０、第二ケース体２０および第三ケース体３０を備える。本実施形態にかかるケース１の被収容物（電気機器）は基板ユニット４０である。第一ケース体１０には、被収容物が収容される第一空間Ｓ１（本発明における収容空間に相当する）が形成される。第一ケース体１０に形成された第一空間Ｓ１の上方は、第三ケース体３０によって覆われる（図３、図４等参照）。つまり、第一空間Ｓ１は、第一ケース体１０と第三ケース体３０によって構成される空間であるともいえる。本実施形態における第一空間Ｓ１は、平面方向に平たい空間である。
【００１９】
一方、第二ケース体２０には、被収容物である基板ユニット４０に接続される接続部材５０（本実施形態では端子５１付き電線５２）が収容される。第二ケース体２０に形成された第二空間Ｓ２の下方は第一ケース体１０によって覆われる。つまり、第二空間Ｓ２は、第一ケース体１０と第二ケース体２０によって構成される空間であるともいえる。第二空間Ｓ２は、接続部材５０を通すための開口が形成された空間である。
【００２０】
本実施形態では、第一空間Ｓ１内に被収容物である基板ユニット４０が収容される。なお、基板ユニット４０や基板ユニット４０と外部機器を電気的に接続するための接続部材５０を各図（図１を除く）において実線で図示するが、基板ユニット４０や接続部材５０は本実施形態にかかるケース１を構成するものではない。つまり、基板ユニット４０は、あくまで本実施形態にかかるケース１の収容物の一例である。基板ユニット４０の構成は以下の通りである。
【００２１】
図９〜図１１に示す基板ユニット４０は、基板４１および導電部材４２を備える。基板４１は、一方の面４１ａ（上側の面）に導電パターンが形成されたものである。当該導電パターンが構成する導電路は制御用の導電路（回路の一部）であり、導電部材４２が構成する導電路（回路の一部）よりも流れる電流が相対的に小さい。
【００２２】
導電部材４２は、基板４１の他方の面４１ｂ（下側の面）に固定された本体部４２１および本体部４２１から延びる延設部４２２を有する。導電部材４２は、プレス加工等によって所定の形状に形成される。導電部材４２の本体部４２１は、相対的に大きな（導電パターンによって構成される導電路よりも大きな）電流が流れる部分である電力用の導電路を構成する。なお、導電路の具体的な構成については、説明および図示を省略するが、導電部材４２の本体部４２１は導電路を構成する複数の部分を有する。各部分は短絡しないように別個独立しており、基板４１に固定されることによって一体となっている。複数の部分は、基板４１に固定される前は余長部分によって繋がっており、基板４１に固定された後当該余長部分が切り取られることによりそれぞれが別個独立した状態（直接接触していない状態）となる。導電部材４２（本体部４２１）は、バスバー（バスバープレート）等とも称される。導電部材４２の本体部４２１は、例えば絶縁性の接着剤や接着シートなどを介して、基板４１の他方の面４１ｂに固定される。これにより、基板４１と導電部材４２が一体化されている。
【００２３】
導電部材４２の延設部４２２は、本体部４２１から起立するよう形成された部分である。本実施形態における延設部４２２は、本体部４２１から上方に向かって延びる部分（基端部４２２ａ）と、基端部４２２ａの先端（上端）から屈曲し、平面方向に沿って延びる部分（先端部４２２ｂ）を有する。本実施形態における導電部材４２は、複数の延設部４２２を有する。各延設部４２２は、上述した本体部４２１の別個独立した部分のいずれかと一体である。本実施形態では、一つの別個独立した部分と一つの延設部４２２が繋がっている。各延設部４２２の先端部４２２ｂは、接続部材５０を接続するための部分（入力端子部または出力端子部）となる。当該接続部材５０を介して、基板ユニット４０（導電部材４２）と外部機器とが電気的に接続されることとなる。
【００２４】
電子部品４３は、素子本体４３１および端子部を有する。基板ユニット４０には複数の電子部品４３が実装されている。特定の電子部品４３の少なくとも一部の端子は、基板４１に形成された開口４１１を通じて導電部材４２の本体部４２１に電気的に接続される。このような端子の一部が導電部材４２の本体部４２１に電気的に接続される端子としては、トランジスタ（ＦＥＴ）が例示できる。トランジスタのドレイン端子４３２およびソース端子４３３は、導電部材４２の本体部４２１に接続され、ゲート端子４３４は基板４１の導電パターンに接続される。このように、電子部品４３のうちの少なくとも一部は、その少なくとも一部の端子が、導電部材４２に対し直接電気的に接続されるものである。別の見方をすれば、全ての端子が基板４１に形成された導電パターンに直接電気的に接続される電子部品４３（少なくとも一部の端子が導電部材４２に対し直接電気的に接続されないもの）が存在していてもよいということである。
【００２５】
このように構成される基板ユニット４０は、第一空間Ｓ１内に収容される（図３、図４等参照）。厳密には、基板ユニット４０のうち、延設部４２２を除く部分が第一空間Ｓ１内に収容される。本実施形態では、第一空間Ｓ１を構成する第一ケース体１０は、枠部材１１および放熱部材１９を備える。枠部材１１は、略方形状を呈し、その内側の領域が第一空間Ｓ１となる。放熱部材１９は、熱伝導性の高い材料（銅等）で形成された平板状の部材であって、枠部材１１の下側に固定される。放熱部材１９は、枠部材１１の下側の開口を覆うように固定される。このような枠部材１１および放熱部材１９により、平面方向に広がる平たい第一空間Ｓ１が形成される。枠部材１１は第一空間Ｓ１の側壁を、放熱部材１９は第一空間Ｓ１の底壁を構成する部材であるともいえる。上記基板ユニット４０の導電部材４２の本体部４２１の少なくとも一部は放熱部材１９に接合される。これにより、基板ユニット４０から発生した熱の少なくとも一部は、放熱部材１９を介して外部に放出される。なお、導電部材４２の本体部４２１と放熱部材１９は、熱伝導性の高い絶縁材料を介して接合されているとよい。
【００２６】
枠部材１１には、土台部１２およびこの土台部１２から上方に向かって突出した雄ねじ部１３が設けられている（図２等参照）。導電部材４２の延設部４２２の先端部４２２ｂには、雄ねじ部１３を通すことができる貫通孔が形成されている。先端部４２２ｂに形成された貫通孔に雄ねじ部１３を通すとともに、接続部材５０の端子５１に形成された貫通孔に雄ねじ部１３を通し、ナット等を雄ねじ部１３に螺合させることにより、先端部４２２ｂと端子５１が土台部１２に押しつけられて両者が密着する。これにより、導電部材４２と接続部材５０が電気的に接続された状態となる（図５等参照）。
【００２７】
第一ケース体１０に形成される第一空間Ｓ１の開口は、第三ケース体３０に覆われる。つまり、第三ケース体３０は第一空間Ｓ１の上壁を構成するともいえる。第三ケース体３０は、第一ケース体１０の枠部材１１に固定される。第三ケース体３０は、土台部１２を除く枠部材１１の上面の少なくとも一部を覆うような形状に形成されている。第三ケース体３０の外壁は、その一部が切り欠かれたような形状をしており当該切り欠かれた部分（切欠き部３１）の存在により、第一ケース体１０に対し第三ケース体３０が固定された状態においても、延設部４２２を通すことができる隙間が確保される（図２等参照）。第一ケース体１０と第三ケース体３０の固定構造はどのようなものであってもよいため、説明を省略する。
【００２８】
第一ケース体１０に対し第三ケース体３０が固定された状態において、第三ケース体３０の切り欠かれた部分と第一ケース体１０の間には上記隙間が存在しており、当該隙間に延設部４２２が通される。これにより、延設部４２２の先端部４２２ｂは土台部１２上に位置した状態となる。なお、本実施形態における第三ケース体３０には、基板４１と外部機器を電気的に接続するためのコネクタ部３２が設けられている。
【００２９】
第二ケース体２０は、土台部１２を覆うように第一ケース体１０に固定される。土台部１２上では、延設部４２２の先端部４２２ｂとともに接続部材５０（端子５１）の少なくとも一部が位置することとなるため、両者が第二ケース体２０に覆われるということとなる。別の見方をすれば、延設部４２２の先端部４２２ｂと接続部材５０の少なくとも一部が、第二ケース体２０と第一ケース体１０（枠部材１１）によって構成される第二空間Ｓ２に収容されているということである。
【００３０】
第二空間Ｓ２は、一部が開口した空間であり、当該開口に接続部材５０（電線５２）が通される（図１、図５等参照）。第二空間Ｓ２の開口は、第一ケース体１０と第二ケース体２０の間に形成される隙間であるともいえる。本実施形態では、第二ケース体２０には突出部２２が形成されている。当該突出部２２は第二空間Ｓ２の開口を狭める方向（本実施形態では下方）に突出する。接続部材５０が雄ねじ部１３に接続された状態で、第一ケース体１０に第二ケース体２０を固定することにより、当該突出部２２が接続部材５０（電線５２）に接触するようにするとよい（図５等参照）。第二ケース体２０にこのような突出部２２を設けておくことにより、第二空間Ｓ２の開口を通じた水の浸入が抑制される。
【００３１】
第二ケース体２０には、第一ケース体１０に固定するためのロック片部２１２が形成されている。具体的には、第二ケース体２０の外壁部２１には、その先端から上下方向に延びるスリット２１１が形成されており、当該スリット２１１に挟まれた部分がロック片部２１２となる。つまり、スリット２１１の存在によって、変形可能な片持ち状となる部分がロック片部２１２である。第二ケース体２０には、このようなロック片部２１２が四つ設けられており、各ロック片部２１２が第一ケース体１０（枠部材１１）に設けられたロック突起１４１に係止されることにより、第一ケース体１０と第二ケース体２０が一体化される（図１、図６等参照）。具体的には、第一ケース体１０に対し第二ケース体２０を上から押しつけることで、ロック片部２１２が弾性変形し、ロック片部２１２に形成された貫通孔内にロック突起１４１が嵌まり込む。
【００３２】
このように、第一空間Ｓ１内には基板ユニット４０（延設部４２２の一部を除く）が、第二空間Ｓ２内には延設部４２２の一部（先端部４２２ｂ）と接続部材５０の一部（端子５１）が収容される。本実施形態にかかるケース１には、基板ユニット４０が収容された第一空間Ｓ１に凝結等によって発生した水や外部から入り込んだ水を排水するための構造が設けられている。当該排水構造の構成は以下の通りである。なお、以下で説明する排水構造は、ケース１の幅方向右側前方に設けられたものについて説明するが、このような排水構造が幅方向左側前方、幅方向右側後方、幅方向左側後方に設けられていてもよい。
【００３３】
図６〜図８等を参照して排水構造を説明する。第一ケース体１０には、第一空間Ｓ１から延びる流路６０が形成されている。流路６０は、第一流路部６１および第二流路部６２を含む。第一流路部６１は、両端が出口（第一出口７１、第二出口７２）に繋がった（外部に開放された）流路である。第二流路部６２は、一端が第一空間Ｓ１に、他端が第一流路部６１の途中部位（第一出口７１と第二出口７２の間）に繋がった流路である。
【００３４】
第一流路部６１の第一出口７１は、第一ケース体１０（枠部材１１）の幅方向中央側に設けられている。第一出口７１の高さは、第一流路部６１の一方端の高さと同じである。より具体的には、第一ケース体１０と第二ケース体２０の境界部分と同じ高さに位置する（図１、図２等参照）。第一流路部６１は、第一出口７１から幅方向外側（右側）に向かって延び、途中で後方に向かうように屈曲している。つまり、第一流路部６１は、幅方向に沿って延びる第一の部分６１１と、前後方向に沿って延びる第二の部分６１２を有する（図７等参照）。第一の部分６１１と第二の部分６１２の境界部、すなわち第一流路部６１の屈曲した部分の近傍に、第二流路部６２と繋がった部分が位置する。つまり、第一流路部６１の第二の部分６１２における第一の部分６１１側に、第二流路部６２との境界部分が存在する。第一流路部６１は、第二流路部６２が繋がる部分と第一出口７１との間に、第二流路部６２側に屈曲した部分（第一屈曲部６１ｃ）を含むものであるといえる。
【００３５】
第一流路部６１の第二出口７２は、第一ケース体１０（枠部材１１）の前後方向中央側に設けられている。第二の部分６１２は、第一ケース体１０（枠部材１１）に形成された空間部６１３に繋がっている。当該空間部６１３が第二出口７２に繋がっている（図６〜図８等参照）。つまり、本実施形態における第一流路部６１は、第一の部分６１１、第二の部分６１２および空間部６１３から構成されるものである。つまり、流路６０は、水が流れることが可能な領域であれば溝のような細長い形状でない部分を含んでいてもよい（空間６１３のようなまとまった領域を含んでいてもよい）。第一の部分６１１および第二の部分６１２は、上方が開口した溝であり、当該開口を覆うように第三ケース体３０が設けられる。空間部６１３は、第二ケース体２０に覆われる部分である。
【００３６】
上述したように、空間部６１３は第二出口７２に繋がっている。本実施形態では、当該第二出口７２となる孔（空間）が第二ケース体２０に形成されている。具体的には、第二ケース体２０に形成されたスリット２１１の一部が、当該第二出口７２として機能する。つまり、ロック片部２１２を変形可能とする（片持ち状とする）ために形成するスリット２１１を、排水用の第二出口７２として利用している（図６等参照）。このように、第二ケース体２０には、第二出口７２となる部分が形成されている。
【００３７】
第一ケース体１０を構成する枠部材１１の外縁の少なくとも一部には、段差が形成されている。具体的には、第一流路部６１の底面（第一の部分６１１、第二の部分６１２、空間部６１３の底面）よりも低くなるように凹んだ段差部１５が形成されている。また、第一ケース体１０を構成する枠部材１１には、上方に向かって突出した突起である支持突起１４が形成されている。当該支持突起１４の上面が上記土台部１２となる。支持突起１４の外面には、外側に向かって突出したロック突起１４１が形成されている。支持突起１４の外面は段差部１５の上下方向に沿う面と同一（面一）である。枠部材１１には、側方から見て、支持突起１４の根元部分の一部が抉られたような溝（横溝６１３ａ）が形成されている。当該横溝６１３ａは空間部６１３の一部である（図２、図６等参照）。
【００３８】
第二ケース体２０は、その外壁部２１の内側の面を、上記支持突起１４の外面から段差部１５の上下方向に沿う面に対向させるようして枠部材１１に押しつけることで、外壁部２１に形成されたロック片部２１２がロック突起１４１に接触して弾性変形する。さらに第二ケース体２０を枠部材１１に押しつけると、ロック片部２１２が元の形状に戻り、ロック片部２１２に形成された貫通孔にロック突起１４１が嵌まり込む。これにより、第二ケース体２０が第一ケース体１０（枠部材１１）に固定される。第二ケース体２０が第一ケース体１０に固定された状態において、第二ケース体２０の外壁部２１における先端側の一部は、段差部１５に入り込む。つまり、第二ケース体２０の外壁部２１における先端側の一部の内側の面は、段差部１５の上下方向に沿う面に密接し、第二ケース体２０の外壁部２１の先端（先端縁２１ａ）の少なくとも一部は、枠部材１１に設けられた第一流路部６１の空間部６１３（横溝６１３ａ）がスリット２１１に連なる部分、すなわち第二出口７２よりも低い位置に位置する。
【００３９】
より具体的には、第二ケース体２０の外壁部２１におけるスリット２１１（ロック片部２１２）が形成された部分の先端縁２１ａは、第二出口７２よりも低い位置に位置する。さらに別の見方をすれば、ケース１の幅方向外側の面における、第一ケース体１０と第二ケース体２０の境界部分（前後方向に沿う境界線）は、第二出口７２よりも低い位置に位置するということである。スリット２１１は、第二ケース体２０の外壁部２１の先端から上下方向に延びるように形成されているため、スリット２１１の上側の一部が第一流路部６１の空間部６１３（横溝６１３ａ）と重なる構造となる（図６等参照）。
【００４０】
第一流路部６１の第一出口７１は、第一ケース体１０と第三ケース体３０の境界部分と同じ高さに形成されている（図１、図２等参照）。一方、第一流路部６１の第二出口７２は、第一ケース体１０と第二ケース体２０の境界部分よりも高い位置に位置する（図６等参照）。より具体的には、第一ケース体１０と第三ケース体３０の境界部分（両ケース体の隙間）から浸入しようとする水はそのまま第一出口７１から内部に浸入するおそれがある一方、第一ケース体１０と第二ケース体２０の境界部分（両ケース体の隙間）から浸入しようとする水は段差部１５によって遮られることとなる。つまり、第二出口７２を通じて水が浸入するおそれは、第一出口７１を通じて水が浸入するおそれよりもかなり低いということである。
【００４１】
第二流路部６２は、第一空間Ｓ１と第一流路部６１とを繋ぐ流路である。第一流路部６１に臨む第二流路部６２の開口縁は、第一流路部６１の第一出口７１側の縁である一方側開口縁６２ａよりも、第一流路部６１の第二出口７２側の縁である他方側開口縁６２ｂの方が第一空間Ｓ１側に位置している（図７、図８等参照）。他方側開口縁６２ｂよりも一方側開口縁６２ａの方が第一流路部６１側に突出しているともいえる。
【００４２】
このような構成としたことによる作用は次の通りである。第一出口７１側から第二出口７２側に向かって第一流路部６１を流れる水は、途中で第二流路部６２が繋がった箇所を通る。このとき、第二流路部６２の他方側開口縁６２ｂよりも一方側開口縁６２ａの方が第一流路部６１側に突出しているから、第一流路部６１を流れる水の大部分は、第二流路部６２に入り込まずにそのまま第二流路部６２が繋がった箇所を通過し、第二出口７２に向かう。つまり、第一出口７１から入り込んだ水が、第二流路部６２を介して第一空間Ｓ１内に入り込みにくい構造となっている。
【００４３】
特に、本実施形態における第一流路部６１は、第二流路部６２が繋がる部分と第一出口７１との間に、第二流路部６２側に第一屈曲部６１ｃを含む。したがって、第一出口７１側から第二出口７２側に向かう水の流れは、第一屈曲部６１ｃを通過することによって第二流路部６２（第一流路部６１と第二流路部６２の境界）から遠ざかる。別の見方をすれば、第一流路部６１の第一の部分６１１から第一屈曲部６１ｃを経て第二の部分６１２に入り込んだ水は、第二の部分６１２における第二流路部６２側を流れるものよりも、その反対側を流れるものの方が多くなる。つまり、このような第一屈曲部６１ｃを設けることにより、第二流路部６２内に水が入り込まないようにする作用をさらに高めることができる。
【００４４】
このような構造であるということは、第二出口７２側から第一出口７１側に向かって第一流路部６１を流れる水は第二流路部６２に入り込みやすいということになる。しかし、本実施形態では、上述したように、第二出口７２は第一ケース体１０と第二ケース体２０の境界部分よりも高い位置に位置し、水が浸入しにくい。また、第二ケース体２０には第二空間Ｓ２の開口を狭める突出部２２が設けられているため、第一流路部６１の空間部６１３には水が浸入しにくい。つまり、第一流路部６１の第二出口７２側からの水の浸入は抑制されているため、当該方向から流入してくる水量は少ない。
【００４５】
このように、本実施形態における第一流路部６１と第二流路部６２の連結部分の構造は、第一出口７１側からのある程度の水の浸入を予測して、当該第一出口７１側から水が浸入した場合であっても、当該水がそのまま第二出口７２から排出されるようにしたものである。第二出口７２側からの水の浸入は第二出口７２の形状や突出部２２を設けたことによってある程度防止できるため、それを踏まえた第一流路部６１と第二流路部６２の連結部分の構造としなくても大きな問題とはならない。
【００４６】
一方、第一空間Ｓ１内に入り込んだ水や凝結等によって第一空間Ｓ１内に生じた水は、第二流路部６２を通じて第一流路部６１に入り込み、第一出口７１または第二出口７２から排出可能である。ケース１が傾いて設置された場合、ケース１が振動環境下に設置される場合等、水の流れる方向はどの方向となるか予測がつかないところもあるため、様々な方向に出口を設けておくことにより水の排出がスムーズになる。本実施形態では、このような理由で複数の出口を設けたことによって生じうる不都合（水排出用の出口が水の浸入を促進する要因となってしまうこと）を防ぐために、上記のような第一流路部６１と第二流路部６２の接続部分の構造、第二出口７２の構造としている。
【００４７】
また、第二流路部６２は、第一空間Ｓ１内の水をスムーズに排出する作用を発揮させつつ、第一空間Ｓ１への水の浸入を抑制する作用を発揮させる必要がある。したがって、第二流路部６２における第一流路部６１に臨む流路側開口６２４の大きさを、第一空間Ｓ１に臨む空間側開口６２３の大きさよりも小さく設定している（図８等参照）。これにより、第一空間Ｓ１内の水は第二流路部６２に浸入しやすく、第一流路部６１の水は第二流路部６２に浸入しにくい構造となる。
【００４８】
さらに、第二流路部６２は屈曲している。具体的には、第一流路部６１から浸入した水が真っすぐ流れる第一の部分６２１と、そこから屈曲して第一空間Ｓ１に向かう第二の部分６２２とを含む。第一の部分６２１と第二の部分６２２の境界部分は屈曲（第二屈曲部６２ｃ）している（図７、図８等参照）。本実施形態では、第一の部分６２１は幅方向に沿い、第二の部分６２２は前後方向に沿う。このように、第一流路部６１から第二流路部６２に浸入した水がそのまま真っすぐ流れて第一空間Ｓ１に到達しないような構造とすることで、第二流路部６２を通じた第一空間Ｓ１内への水の浸入がさらに抑制される。
【００４９】
また、第二流路部６２（第二の部分６２２）には、第一空間Ｓ１側から第一流路部６１側に向かうにつれて狭くなる部分（テーパ部６２ｄ）が形成されている（図８等参照）。このようなテーパ部６２ｄを設けることで、第一空間Ｓ１からの水の排出をスムーズにしつつ、第一流路部６１側からの水の浸入が抑制される。
【００５０】
以上、本発明の実施形態について詳細に説明したが、本発明は上記実施形態に何ら限定されるものではなく、本発明の要旨を逸脱しない範囲で種々の改変が可能である。
【００５１】
例えば、上記実施形態にかかるケース１は、第一ケース体１０、第二ケース体２０、第三ケース体３０という三つのケース体によって構成されるものであることを説明したが、その数や各ケース体の具体的な形状等は適宜変更可能である。流路６０は、第一ケース体１０（枠部材１１）に形成されたものであることを説明したが、被収容物が収容される第一空間Ｓ１と外部（出口）とを繋ぐものであれば、どのケース体に形成されていてもよい。
【００５２】
また、上記実施形態にかかるケース１は、基板ユニット４０を収容するものであることを説明したが、第一空間Ｓ１に収容される収容物はどのようなものであってもよい。また、第二空間Ｓ２に収容される収容物もどのようなものであってもよい。第二空間Ｓ２が設けられていない構成としてもよい。
【符号の説明】
【００５３】
１  ケース
１０  第一ケース体
１１  枠部材
１４  支持突起
１４１  ロック突起
１５  段差部
１９  放熱部材
２０  第二ケース体
２１  外壁部
２１ａ  外壁部の先端縁
２１１  スリット
２１２  ロック片部
２２  突出部
３０  第三ケース体
４０  基板ユニット
５０  接続部材
６０  流路
６１  第一流路部
６１１  （第一流路部の）第一の部分
６１２  （第一流路部の）第二の部分
６１３  空間部
６１３ａ  横溝
６１ｃ  第一屈曲部
６２  第二流路部
６２１  （第二流路部の）第一の部分
６２２  （第二流路部の）第二の部分
６２ａ  一方側開口縁
６２ｂ  他方側開口縁
６２ｃ  第二屈曲部
６２ｄ  テーパ部
６２３  空間側開口
６２４  流路側開口
７１  第一出口
７２  第二出口    
Ｓ１  第一空間（収容空間）
Ｓ２  第二空間
【図１】
0006287888.tif 000002
【図２】
0006287888.tif 000003
【図３】
0006287888.tif 000004
【図４】
0006287888.tif 000005
【図５】
0006287888.tif 000006
【図６】
0006287888.tif 000007
【図７】
0006287888.tif 000008
【図８】
0006287888.tif 000009
【図９】
0006287888.tif 000010
【図１０】
0006287888.tif 000011
【図１１】
0006287888.tif 000012